(57)【要約】【課題】貯留地である程度処理された汚泥や屎尿等の原液の水分は気化させて大気中に放出させ自然環境を汚染しないようにするとともに、気化させて残った後の残留物は肥料および土壌改良材として利用でき、さらに、機械式処理装置に比べて大量の処理能力を有することにより、ランニングコストを低下させ安価な汚泥・屎尿処理装置を提供することを目的とする。【解決手段】一端側から他端側に向けてボイラ等により発生された熱を送風する熱風送風部２、空気調整部３、汚泥、屎尿等の原液を投入する投入口４、くびれ部５、乱流発生翼６から成る乱流発生部７とを順次配置した濾過管体１を設ける。この濾過管体１の他端側に連結管９を介して配置された真空タンク８を設ける。真空タンク８に接続され気体排出口１２を有する真空ポンプ１０と設ける。【選択図】　　　　　図１
2004105941.tif 000002
【特許請求の範囲】
【請求項１】
一端側から他端側に向けてボイラ等により発生された熱を送風する熱風送風部と、空気調整部と、汚泥、屎尿等の原液を投入する原液投入口と、くびれ部と、乱流発生翼から成る乱流発生部とを順次配置した濾過管体と、この濾過管体の他端側に連結管を介して配置された真空タンクと、この真空タンクに接続され気体排出口を有する真空ポンプとから構成された汚泥・屎尿処理装置。
【請求項２】
乱流発生部は、複数段設けられたことを特徴とする請求項１記載の汚泥・屎尿処理装置。
【請求項３】
乱流発生翼は、角錘状に形成されたことを特長とする請求項１または請求項２記載の汚泥・屎尿処理装置。
【発明の詳細な説明】
【０００１】
本発明は、汚泥や人体から排泄される屎尿を処理する汚泥・屎尿処理装置に関する。
【０００２】
【従来技術】
従来、汚泥や人体から排泄される屎尿は、バキュームカーにより各家庭や事務所等を廻って回収したものを市町村の貯留地にて日数をかけて処理し、この処理された汚泥や屎尿を水にて希釈して河川に放流するようになっていた。しかし、このように河川に放流すると河川の汚染や悪臭の元になり、これらを改善することが要望されていた。そして、現状では各市町村の処理施設が能力オーバーとなっており、予想を上回る汚染が進んでいるのが実情である。そこで、これらの河川汚染や悪臭等の環境汚染に対して、近年若干ではあるが、機械式処理装置の開発が進みつつある。
【０００３】
【発明が解決しようとする課題】
しかし、その機械式処理装置は例えば小容量の容器内に加熱手段と乾燥手段を用いて汚泥、屎尿等の原液を乾燥気化させる方式であるため、１日の処理量が３００リットル程度と限界があり、更にランニングコスト、処理装置が高価になる等の欠点があった。
【０００４】
本発明は、このような点に鑑みなされたもので、貯留地である程度処理された汚泥や屎尿等の原液の水分は気化させて大気中に放出させ自然環境を汚染しないようにするとともに、気化させて残った後の残留物は肥料および土壌改良材として利用でき、さらに、機械式処理装置に比べて大量の処理能力を有することにより、ランニングコストを低下させ安価な汚泥・屎尿処理装置を提供することを目的とする。
【０００５】
【課題を解決するための手段】
請求項１記載の汚泥・屎尿処理装置は、一端側から他端側に向けてボイラ等により発生された熱を送風する熱風送風部と、空気調整部と、汚泥、屎尿等の原液を投入する原液投入口と、くびれ部と、乱流発生翼から成る乱流発生部とを順次配置した濾過管体と、この濾過管体の他端側に連結管を介して配置された真空タンクと、この真空タンクに接続され気体排出口を有する真空ポンプとから構成されたものである。
【０００６】
そして、この構成によれば、　貯留地である程度処理された汚泥や屎尿等の原液は、汚染しない気体として大気中に放出されて自然環境が改善されるとともに、固形物は真空タンクの内面に残留物として付着され、回収されて再処理され、肥料および土壌改良材として利用される。また、小容量の容器内に加熱手段と乾燥手段を用いた機械式処理装置に比べて大量の処理能力を有することにより、ランニングコストを低下させ安価な汚泥・屎尿処理装置を提供できる。
【０００７】
請求項２記載の汚泥・屎尿処理装置は、乱流発生部は、複数段設けたものである。
【０００８】
そして、この構成によれば、　乱流発生部は複数段設けたことにより、混合ガスの混合均一化が促進される。
【０００９】
請求項３記載の汚泥・屎尿処理装置は、乱流発生翼は、角錘状に形成されたものである。
【００１０】
そして、この構成によれば、乱流発生翼は、角錘状に形成したので、乱流が効率よく発生される。
【００１１】
【発明の実施の形態】
以下、本発明の一実施の形態を図面を参照して説明する。
【００１２】
【実施例】
図１において、１は濾過管体で、この濾過管体１は、一端側から図示しないボイラーと送風機からなる熱風送風部２、熱風送風量を調節する空気調整弁から成る空気調整部３、貯留地である程度処理された汚泥や屎尿の原液を投入する原液投入口４、熱風送風部２から送風された熱風と汚泥や屎尿の原液投入口４から投入された原液を抵圧を利用して流速を増し混合気化させるくびれ部５、頂点を一端側に向けて配置され２つの三角錐や四角錘等から成る乱流発生翼６を有する乱流発生部７とから構成されている。
【００１３】
８は真空タンクで、この真空タンク８は図示しない真空駆動部により真空にされ連結管９を介して濾過管体１の他端側に接続されている。そして、この真空タンク８は、温度差を利用してタンク内面に残留物を付着させるとともに匂いがなくなった気体として分離させる。１０は真空ポンプで、この真空ポンプ１０は真空タンク８に連結管１１を介して接続され、真空タンク８で分離された匂いのない気体を吸引して気体排出口１２から大気中へ排出させるものである。
【００１４】
次に、本実施の形態の作用を説明する。
【００１５】
先ず、原液投入口４から貯留地である程度処理された汚泥や屎尿等の原液が濾過管体１内に投入される。一方、投入される原液の投入量により空気調整弁３が調整されるとともにボイラーと送風機から成る熱風発生部２から発生した熱風がくびれ部５に送風される。そして、濾過管体１内に投入された原液は熱風により高温滅菌されてくびれ部５を通過する。この際、原液は、くびれ部５の空気抵抗により流速が増すとともに開放面が抵圧となり、この流速内で水分の気化が促進され固形分が混じった混合ガスとなる。
【００１６】
そして、気化が促進された混合ガスは、乱流発生部７に送られる。この乱流発生部７に送られた混合ガスは、２つの乱流発生翼６の作用により発生された乱気流により混合されて細かくなって均一化された混合ガスとなり連結管９を介して真空タンク８に送られる。そして、この真空タンク８に送られた混合ガスは、真空タンク８の温度差を利用して固形分は真空タンク８の内壁面に矢印の如く付着して残留物とし回収され、再処理されて飼料および土壌改良材として利用される。一方、気体は連結管１１を介して真空ポンプ１０により吸引され、気体排出口１２から匂いのなく環境汚染のない気体となって大気中に放出される。
【００１７】
上述したように本汚泥・屎尿処理装置は、大量の汚泥や屎尿を連続的に処理することができるため、従来の乾燥気化させる機械式に比べて処理能力が大幅に倍増され且つ、したがって、この結果ランニグコストが低減されるとともに安価な汚泥・屎尿処理装置が提供可能となる。
【００１８】
【発明の効果】
請求項１記載の汚泥・屎尿処理装置によれば、貯留地である程度処理された汚泥や屎尿等の原液は、水分は気化されて大気中に放出させ自然環境を汚染しないとともに、気化させて残った後の残留物は肥料および土壌改良材として利用できる。さらに、機械式処理装置に比べて大量の処理能力を有することにより、ランニングコストを低下させ安価な汚泥・屎尿処理装置を提供できる。
【００１９】
請求項２記載の汚泥・屎尿処理装置によれば、乱流発生部は複数段設けたことにより、混合ガスの混合均一化が促進される。
【００２０】
請求項２記載の汚泥・屎尿処理装置によれば、乱流発生翼は、角錘状に形成したので、乱流が効率よく発生される。
【図面の簡単な説明】
【図１】本発明の一実施形態を示す汚泥・屎尿処理装置の構成図である。
【符号の説明】
１　　濾過管体
２　　熱風発生部
３　　空気調整部
４　　原液投入部
５　　くびれ部
６　　乱流発生翼
７　　乱流発生部
８　　真空タンク
９　　連結管
１０　　真空ポンプ
１１　　連結管
１２　　気体排出口
【図１】
2004105941.tif 000003